【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数のデバイスが、マルチユーザ多入力多出力（ＭＵ−ＭＩＭＯ）または周波数分割多元接続（ＦＤＭＡ）のうちの少なくとも１つのためのサポートを備える第１の能力を有すると決定することと、
前記複数の前記デバイスからの即時応答を懇請する第１のマルチユーザ（ＭＵ）パケットを生成すること、ここにおいて、前記即時応答が確認応答（ＡＣＫ）またはブロックＡＣＫ（ＢＡ）を備える、と、
前記方法は、１つまたは複数の他のデバイスが前記第１の能力を欠くと決定することと、前記１つまたは複数の他のデバイスのうちの多くとも単一のデバイスからの即時応答を懇請する第２のＭＵパケットを生成することとをさらに備える、
送信のために前記第１または第２のＭＵパケットを出力することと
を備える、方法。
【請求項２】
ワイヤレス通信のための装置であって、
複数のデバイスが、マルチユーザ多入力多出力（ＭＵ−ＭＩＭＯ）または周波数分割多元接続（ＦＤＭＡ）のうちの少なくとも１つのためのサポートを備える第１の能力を有すると決定するための手段と、
前記複数の前記デバイスからの即時応答を懇請する第１のマルチユーザ（ＭＵ）パケットを生成するための手段、ここにおいて、前記即時応答が確認応答（ＡＣＫ）またはブロックＡＣＫ（ＢＡ）を備える、と、
前記装置は、１つまたは複数の他のデバイスが前記第１の能力を欠くと決定することと、前記１つまたは複数の他のデバイスのうちの多くとも単一のデバイスからの即時応答を懇請する第２のＭＵパケットを生成することとを行うための手段をさらに備える、
送信のために前記第１または第２のＭＵパケットを出力するための手段と
を備える、装置。
【請求項３】
前記決定するための手段および前記生成するための手段は、処理システムを備え、ここにおいて、前記出力するための手段は、インターフェースを備える、請求項２に記載の装置。
【請求項４】
前記処理システムは、前記複数のデバイスまたは前記１つまたは複数の他のデバイスからの即時応答を懇請しない第３のＭＵパケットを生成することを行うようにさらに構成され、
前記インターフェースは、送信のために前記第３のＭＵパケットを出力することを行うようにさらに構成される、
請求項３に記載の装置。
【請求項５】
前記ＭＵパケットは、前記即時応答を送るためにＳＵ−ＭＩＭＯ、ＭＵ−ＭＩＭＯ、またはＦＤＭＡを使用するための応答タイプインジケーションを前記複数のデバイスの各々に与える、
請求項３に記載の装置。
【請求項６】
前記ＭＵパケットは、複数のメディアアクセス制御プロトコルデータユニット（ＭＰＤＵ）を備え、各ＭＰＤＵは、前記複数のデバイスのうちの異なるデバイスにアドレス指定され、
前記応答タイプインジケーションは、
各ＭＰＤＵのサービス品質（ＱｏＳ）制御フィールド、
各ＭＰＤＵのフレーム制御（ＦＣ）フィールド、
前記ＭＰＤＵに先行するアグリゲートＭＰＤＵ（Ａ−ＭＰＤＵ）デリミタ、または
拡張ＭＡＣヘッダ
中で与えられる、請求項５に記載の装置。
【請求項７】
前記ＭＵパケットは、１つまたは複数の物理レイヤコンバージェンスプロトコル（ＰＬＣＰ）サービスデータユニット（ＰＳＤＵ）を備え、各ＰＳＤＵは、前記複数のデバイスのうちの異なるデバイスにアドレス指定され、
前記応答タイプインジケーションは、前記ＰＳＤＵのサービスフィールド中で与えられる、
請求項５に記載の装置。
【請求項８】
前記ＭＵパケットは、複数のアグリゲート媒体アクセス制御プロトコルデータユニット（Ａ−ＭＰＤＵ）を備え、各Ａ−ＭＰＤＵは、前記複数のデバイスのうちの異なるデバイスにアドレス指定され、
スペシャルフレームが前記Ａ−ＭＰＤＵ中に存在する場合、前記応答タイプは、前記スペシャルフレーム中で示される、
請求項５に記載の装置。
【請求項９】
前記ＭＵパケットは、１つまたは複数のグループＩＤを含み、
前記１つまたは複数のグループＩＤの各々は、前記即時応答を送るためにＳＵ  ＭＩＭＯを使用すべきなのか、ＭＵ  ＭＩＭＯを使用すべきなのか、ＦＤＭＡを使用すべきなのかに関連し、
前記応答タイプインジケーションは、前記１つまたは複数のグループＩＤによって暗黙的に与えられる、
請求項５に記載の装置。
【請求項１０】
前記ＭＵパケットは、前記応答タイプインジケーションが前記即時応答のためにＭＵ  ＭＩＭＯまたはＦＤＭＡを使用することを示す場合、前記即時応答を送るために使用すべき１つまたは複数のパラメータのインジケーションを与える、
請求項５に記載の装置。
【請求項１１】
１つまたは複数のパラメータの前記インジケーションは、使用すべき１つまたは複数の空間ストリーム、使用すべき１つまたは複数のチャネル、使用すべき持続時間、あるいは使用すべき送信電力のうちの少なくとも１つのインジケーションを備える、
請求項１０に記載の装置。
【請求項１２】
前記処理システムは、スペシャルフレームを生成することを行うようにさらに構成され、
前記インターフェースは、前記ＭＵパケットの送信に続く送信のために前記スペシャルフレームを出力することを行うようにさらに構成され、
前記スペシャルフレームは、前記即時応答を送るためにＳＵ−ＭＩＭＯ、ＭＵ−ＭＩＭＯ、またはＦＤＭＡを使用するための応答タイプインジケーションを前記複数のデバイスの各々に与え、前記応答タイプインジケーションが前記即時応答のためにＭＵ  ＭＩＭＯまたはＦＤＭＡを使用することを示す場合、前記即時応答を送るために使用すべき１つまたは複数のパラメータのインジケーションを与える、
請求項３に記載の装置。
【請求項１３】
前記処理システムは、複数のデバイスからの前記即時応答としてＢＡを懇請する複数のブロックＡＣＫ要求（ＢＡＲ）フレームを生成することを行うように構成され、
各ＢＡＲフレームは、１つまたは複数のデバイスにアドレス指定され、前記ＢＡＲフレーム中でアドレス指定された前記１つまたは複数のデバイスからのＢＡを懇請し、
各ＢＡＲフレームは、前記ＢＡを送るためにＳＵ−ＭＩＭＯ、ＭＵ−ＭＩＭＯ、またはＦＤＭＡを使用するための、前記ＢＡＲフレーム中でアドレス指定された前記１つまたは複数のデバイスへの応答タイプインジケーションを含み、
各ＢＡＲフレームは、前記ＢＡを送るために使用すべき１つまたは複数のパラメータのインジケーションを与え、
前記インターフェースは、送信のために前記ＢＡＲフレームを出力することを行うように構成される、
請求項３に記載の装置。
【請求項１４】
前記ＭＵパケットは、複数のアグリゲート媒体アクセス制御プロトコルデータユニット（Ａ−ＭＰＤＵ）を備え、各Ａ−ＭＰＤＵは、前記複数のデバイスのうちの異なるデバイスにアドレス指定され、
各ＢＡＲフレームは、同じデバイスにアドレス指定された前記Ａ−ＭＰＤＵとアグリゲートされ、前記インターフェースは、前記ＭＵパケットの送信に続く送信のために前記ＢＡＲフレームを出力することを行うように構成され、
少なくとも１つのＢＡＲフレームは、前記複数のデバイスのうちの複数の異なるデバイスにアドレス指定され、
前記少なくとも１つのＢＡＲフレームは、複数トラフィック識別子（ＴＩＤ）ＢＡＲフレームを備え、
前記複数ＴＩＤ  ＢＡＲの各々に関連する制御フィールドまたはＴＩＤ情報中の予約済みビットのうちの少なくとも１つが、ＢＡＲタイプのインジケーションを与えるために使用される、
請求項１３に記載の装置。
【請求項１５】
前記ＭＵパケットは、複数のアグリゲート媒体アクセス制御プロトコルデータユニット（Ａ−ＭＰＤＵ）を備え、各Ａ−ＭＰＤＵは、デバイスにアドレス指定され、
各Ａ−ＭＰＤＵは、前記Ａ−ＭＰＤＵ中でアドレス指定された前記デバイスからの前記即時応答を懇請する逆方向許可（ＲＤＧ）を有し、
各ＲＤＧは、前記ＢＡを送るためにＳＵ−ＭＩＭＯ、ＭＵ−ＭＩＭＯ、またはＦＤＭＡを使用するための、前記Ａ−ＭＰＤＵ中でアドレス指定された前記デバイスへの応答タイプインジケーションを含み、
各ＲＤＧは、前記ＢＡを送るために使用すべきパラメータのインジケーションを与える、
請求項３に記載の装置。